(57)【要約】【課題】パネル用品に対して塗装を施す作業の効率を向上させることができるエレベータのパネル用品塗装システムを提供する【解決手段】本発明によるエレベータのパネル用品塗装システム１０は、エレベータのかご室１の内壁パネル２またはかご室側ドアパネル３等のパネル用品４を塗装するためのものである。エレベータのパネル用品塗装システム１０は、パネル用品４の設計情報１４に基づいて作成され、パネル用品４を加工するための加工データ１６およびパネル用品４に対して塗装を施すための塗装データ１７を含むＮＣデータ１５を保管する管理サーバ１１を備えている。また、管理サーバ１１にネットワーク１２を介して塗装装置１３が接続され、この塗装装置１３は、管理サーバ１１から送信されるＮＣデータ１５の塗装データ１７に基づいて、パネル用品４に対して塗装を施す。【選択図】図２
2009154087.tif 000002
【特許請求の範囲】
【請求項１】
エレベータのかご室の内壁パネルまたはかご室側ドアパネル等のパネル用品を塗装するエレベータのパネル用品塗装システムにおいて、
パネル用品の設計情報に基づいて作成され、パネル用品を加工するための加工データおよびパネル用品に対して塗装を施すための塗装データを含むＮＣデータを保管する管理サーバと、
管理サーバにネットワークを介して接続され、管理サーバから送信されるＮＣデータの塗装データに基づいて、パネル用品に対して塗装を施す塗装装置と、を備えたことを特徴とするエレベータのパネル用品塗装システム。
【請求項２】
塗装装置は、複数の塗装色のうち所望の塗装色の塗料を噴出自在な塗布手段を有し、
管理サーバ内のＮＣデータの塗装データはパネル用品毎の塗装色データを含み、塗布手段は、塗装データの塗装色データに基づいて、パネル用品毎に所望の塗装色の塗料を噴出することを特徴とする請求項１に記載のエレベータのパネル用品塗装システム。
【請求項３】
管理サーバ内のＮＣデータの塗装データはパネル用品毎の面積データを含み、管理サーバは、塗装データの面積データに基づいて、今後必要な塗料の使用量を演算する塗料使用量演算手段を有することを特徴とする請求項１または２に記載のエレベータのパネル用品塗装システム。
【請求項４】
管理サーバは、塗料使用量演算手段において演算される今後必要な塗料の使用量に対して、塗装装置に保管されている塗料の保管量が少ない場合、この塗料を発注する指示を行う塗料発注手段を有することを特徴とする請求項３に記載のエレベータのパネル用品塗装システム。
【請求項５】
管理サーバは、塗装装置において異常が発生したと判断した場合、警告を発する警告手段を有することを特徴とする請求項１乃至４のいずれかに記載のエレベータのパネル用品塗装システム。
【請求項６】
管理サーバは、塗装装置に対して、室温または湿度などの条件に基づき、パネル用品に対して施す塗装条件を最適化する指示を行なう塗装条件最適化手段を有することを特徴とする請求項１乃至５のいずれかに記載のエレベータのパネル用品塗装システム。
【請求項７】
エレベータのかご室の内壁パネルまたはかご室側ドアパネル等のパネル用品を加工し、かつ塗装するエレベータのパネル用品加工・塗装システムにおいて、
パネル用品の設計情報に基づいて作成され、パネル用品を加工するための加工データおよびパネル用品に対して塗装を施すための塗装データを含むＮＣデータを保管する管理サーバと、
管理サーバにネットワークを介して接続され、管理サーバから送信されるＮＣデータの加工データに基づいて、パネル用品用部材を加工してパネル用品を形成する加工装置と、
管理サーバにネットワークを介して接続され、管理サーバから送信されるＮＣデータの塗装データに基づいて、パネル用品に対して塗装を施す塗装装置と、
加工装置と塗装装置との間に介在され、パネル用品を搬送する搬送手段と、を備え、
管理サーバは、加工装置から加工が完了した情報が送信された場合、搬送手段を駆動してパネル用品を加工装置から塗装装置へ搬送するとともに、塗装装置に対して、パネル用品を塗装する準備を行なうように指示することを特徴とするエレベータのパネル用品加工・塗装システム。
【発明の詳細な説明】
【技術分野】
【０００１】
本発明は、エレベータのかご室の内壁パネルまたはかご室側ドアパネル等のパネル用品を塗装するエレベータのパネル用品塗装システム、およびパネル用品を加工しかつ塗装するエレベータのパネル用品加工・塗装システムに係り、とりわけ、パネル用品の設計情報から作成されるＮＣデータの塗装データに基づいて、パネル用品に対して塗装を施すエレベータのパネル用品塗装システム、およびパネル用品を加工しかつ塗装を施すエレベータのパネル用品加工・塗装システムに関する。
【背景技術】
【０００２】
一般に、エレベータのかご室の内壁パネルまたはかご室側ドアパネル等のパネル用品に対して塗装を施す場合、まず塗装作業者はこのパネル用品の設計情報を参照して所望の塗装色の塗料を選定する。次に塗装作業者は、塗装装置において、選定した塗料によりパネル用品に対して塗装を施している。
【発明の開示】
【発明が解決しようとする課題】
【０００３】
しかしながら、このような方法を用いる場合、塗装作業者が塗装色の選定を誤り、この誤った塗装色の塗料を用いて、パネル用品に対して塗装が施される場合が考えられる。この場合、まずこのパネル用品から、このパネル用品に対して施された誤った塗装色の塗料を除去し、その後このパネル用品の所望の塗装色の塗料を用いて、パネル用品に対して再び塗装を施すことが必要となり、塗装の作業効率が悪化する。
【０００４】
また、塗装作業者が、塗装装置に保管されている塗料の保管量を誤って認識している場合が考えられる。さらに作業者が今後塗装を施す予定のパネル用品に対して必要な塗料の使用量を事前に認識することは困難である。このため、パネル用品に対して塗装を開始する際、所望の塗装色の塗料が不足するという事態が起きることも考えられる。この場合、所望の塗料を発注してこの塗料が納入されるまで、このパネル用品に対して塗装作業を施すことができない。
【０００５】
さらに、塗装装置においてパネル用品に塗装を施している間、作業者はこの塗装装置から離れていることが多い。このため、塗装装置において何らかのトラブルが発生した場合、作業者がこの塗装装置を見に行くまで、トラブルが発生していることが気づかれず、このトラブルが放置されることもある。
【０００６】
一方、自動車塗装ラインにおいて生じたトラブルに対して、短期間で効率良く改善することができる自動車塗装ラインの塗装条件設定システムが知られている（特許文献１参照）。しかしながら、このシステムは、塗装条件の管理や塗膜品質を維持するためのシステムであって、塗装を施す作業の効率を向上させるためのものではない。
【特許文献１】特開２００５−３１３０７７号公報
【０００７】
本発明は、このような点を考慮してなされたものであり、パネル用品に対して塗装を施す作業の効率を向上させることができるエレベータのパネル用品塗装システムおよびエレベータのパネル用品加工・塗装システムを提供することを目的とする。
【課題を解決するための手段】
【０００８】
本発明は、エレベータのかご室の内壁パネルまたはかご室側ドアパネル等のパネル用品を塗装するエレベータのパネル用品塗装システムにおいて、パネル用品の設計情報に基づいて作成され、パネル用品を加工するための加工データおよびパネル用品に対して塗装を施すための塗装データを含むＮＣデータを保管する管理サーバと、管理サーバにネットワークを介して接続され、管理サーバから送信されるＮＣデータの塗装データに基づいて、パネル用品に対して塗装を施す塗装装置と、を備えたことを特徴とするエレベータのパネル用品塗装システムである。
【０００９】
本発明は、塗装装置は、複数の塗装色のうち所望の塗装色の塗料を噴出自在な塗布手段を有し、管理サーバ内のＮＣデータの塗装データはパネル用品毎の塗装色データを含み、塗布手段は、塗装データの塗装色データに基づいて、パネル用品毎に所望の塗装色の塗料を噴出することを特徴とするエレベータのパネル用品塗装システムである。
【００１０】
本発明は、管理サーバ内のＮＣデータの塗装データはパネル用品毎の面積データを含み、管理サーバは、塗装データの面積データに基づいて、今後必要な塗料の使用量を演算する塗料使用量演算手段を有することを特徴とするエレベータのパネル用品塗装システムである。
【００１１】
本発明は、管理サーバは、塗料使用量演算手段において演算される今後必要な塗料の使用量に対して、塗装装置に保管されている塗料の保管量が少ない場合、この塗料を発注する指示を行う塗料発注手段を有することを特徴とするエレベータのパネル用品塗装システムである。
【００１２】
本発明は、管理サーバは、塗装装置において異常が発生したと判断した場合、警告を発する警告手段を有することを特徴とするエレベータのパネル用品塗装システムである。
【００１３】
本発明は、管理サーバは、塗装装置に対して、室温または湿度などの条件に基づき、パネル用品に対して施す塗装条件を最適化する指示を行なう塗装条件最適化手段を有することを特徴とするエレベータのパネル用品塗装システムである。
【００１４】
本発明は、エレベータのかご室の内壁パネルまたはかご室側ドアパネル等のパネル用品を加工し、かつ塗装するエレベータのパネル用品加工・塗装システムにおいて、パネル用品の設計情報に基づいて作成され、パネル用品を加工するための加工データおよびパネル用品に対して塗装を施すための塗装データを含むＮＣデータを保管する管理サーバと、管理サーバにネットワークを介して接続され、管理サーバから送信されるＮＣデータの加工データに基づいて、パネル用品用部材を加工してパネル用品を形成する加工装置と、管理サーバにネットワークを介して接続され、管理サーバから送信されるＮＣデータの塗装データに基づいて、パネル用品に対して塗装を施す塗装装置と、加工装置と塗装装置との間に介在され、パネル用品を搬送する搬送手段と、を備え、管理サーバは、加工装置から加工が完了した情報が送信された場合、搬送手段を駆動してパネル用品を加工装置から塗装装置へ搬送するとともに、塗装装置に対して、パネル用品を塗装する準備を行なうように指示することを特徴とするエレベータのパネル用品加工・塗装システムである。
【発明の効果】
【００１５】
本発明によれば、管理サーバが、エレベータのパネル用品の設計情報に基づいて、パネル用品を加工するための加工データおよびパネル用品に対して塗装を施すための塗装データを含むＮＣデータを作成して保管し、塗装装置において、管理サーバからネットワークを介して送信されるＮＣデータの塗装データに基づいて、パネル用品に対して塗装が施される。このことにより、塗装作業者による塗装色の選定が不要となり、パネル用品の設計情報から自動的にパネル用品に対して塗装を施すことができる。このため、パネル用品に対して塗装を施す作業の効率を確実に向上させることができる。
【００１６】
また本発明によれば、管理サーバからネットワークを介して送信されるＮＣデータの加工データに基づいて、加工装置によりパネル用品用部材が加工されてパネル用品が得られる。このパネル用品用部材の加工が完了してパネル用品が形成された場合、管理サーバは搬送手段を駆動してパネル用品を加工装置から塗装装置に搬送させ、塗装装置に対して、パネル用品を塗装する準備を行うように指示する。このことにより、パネル用品が搬送手段により加工装置から塗装装置に搬送される時間を利用して、このパネル用品に対して施される塗装の準備を行なうことができる。このため、パネル用品に対して塗装を施す作業の効率を確実に向上させることができる。
【発明を実施するための最良の形態】
【００１７】
第１の実施の形態
以下、図面を参照して、本発明の実施の形態について説明する。ここで、図１乃至図３は、本発明の実施の形態におけるエレベータのパネル用品塗装システムを示す図である。このうち図１は、本発明の第１の実施の形態におけるエレベータのかご室内の構成を示す図であり、図２は、本発明の第１の実施の形態におけるエレベータのパネル用品塗装システムの全体構成を示す図であり、図３は、本発明の第１の実施の形態におけるエレベータのパネル用品塗装システムにおいて、パネル用品に対して塗装を施す方法を示すフロー図である。
【００１８】
まず、図１によりエレベータのかご室１内の構成について説明する。図１に示すようにエレベータのかご室１は、側壁に設けられた内壁パネル２と、出入口に設けられたドアパネル３とを備えている。
【００１９】
次に、本発明によるエレベータのパネル用品塗装システム１０について、図２を用いて説明する。ここでエレベータのパネル用品塗装システム１０は、エレベータのかご室１の内壁パネル２またはかご室側ドアパネル３等のパネル用品４を塗装するためのものである。
【００２０】
図２に示すようにエレベータのパネル用品塗装システム１０は、管理サーバ１１と、管理サーバ１１にネットワーク１２を介して接続され、パネル用品４を保持する保持手段２３を含む塗装装置１３とを有している。
【００２１】
このうち管理サーバ１１において、パネル用品４の形状情報１４ａおよび塗装情報１４ｂを含む設計情報１４に基づいてＮＣデータ１５が作成されて保管される。このＮＣデータ１５は、パネル用品４を加工するための加工データ１６と、パネル用品４に対して塗装を施すための塗装データ１７とを含んでいる。この塗装データ１７が、管理サーバ１１から塗装装置１３に送信され、塗装装置１３において、この塗装データ１７に基づき、パネル用品４に対して塗装が施されるようになっている。また、塗装データ１７は、パネル用品４毎の塗装色データ１７ａと、パネル用品４毎の面積データ１７ｂとを含んでいる。
【００２２】
また、塗装装置１３は、複数の塗装色のうち所望の塗装色の塗料１８を噴出自在な塗布手段１９を含んでいる。この塗布手段１９は、塗装データ１７の塗装色データ１７ａに基づいて、パネル用品４毎に所望の塗装色の塗料１８を噴出するようになっている。
【００２３】
また、管理サーバ１１は、塗装データ１７の面積データ１７ｂに基づいて、今後必要な塗料１８の使用量を演算する塗料使用量演算手段２０を含んでいる。
【００２４】
また、管理サーバ１１は、塗料使用量演算手段２０において演算される今後必要な塗料１８の使用量に対して、塗装装置１３に保管されている塗料１８の保管量が少ない場合、この塗料１８を発注する指示を行う塗料発注手段２１を含んでいる。
【００２５】
また、管理サーバ１１は、塗装装置１３において異常が発生したと判断した場合、警告を発する警告手段２２を有している。
【００２６】
また、管理サーバ１１は、塗装装置１３に対して、室温または湿度などの条件に基づき、パネル用品４に対して施す塗装条件を最適化する指示を行なう塗装条件最適化手段２４を有している。
【００２７】
次に、このような構成からなる本実施の形態の作用について説明する。
【００２８】
まず、図３において、パネル用品４の設計手配が行われた場合（ステップＳ１）、図２に示すように、管理サーバ１１に、このパネル用品４の形状情報１４ａおよび塗装情報１４ｂを含む設計情報１４が送信される。
【００２９】
次に、この設計情報１４に基づき、このパネル用品４を加工するための加工データ１６、およびこのパネル用品４に対して塗装を施すための塗装データ１７を含むＮＣデータ１５が作成され、管理サーバ１１に保管される（ステップＳ２）。このうち、塗装データ１７は、パネル用品４毎の塗装色データ１７ａと、パネル用品４毎の面積データ１７ｂとを含んでいる。
【００３０】
次に、管理サーバ１１の塗料使用量演算手段２０により、管理サーバ１１内のＮＣデータ１５の塗装データ１７に含まれる面積データ１７ｂに基づいて、このパネル用品４に塗装を施すために必要な塗料１８の使用量が演算される（ステップＳ３）。
【００３１】
次に、この必要な塗料１８の使用量に対して、塗装装置１３に保管されている塗料１８の保管量が少ない場合、管理サーバ１１の塗料発注手段２１により、この塗料１８を発注する指示が行なわれる。この場合まず、管理サーバ１１により、塗装装置１３に保管されている当該塗料１８の保管量が確認される。次に、必要な塗料１８の使用量と当該塗料１８の保管量とを比較して（ステップＳ４ａ）、当該塗料１８の保管量が少ない場合、管理サーバ１１の塗料発注手段２１により、この塗料１８を発注する指示が行なわれる（ステップＳ４ｂ）。このことにより、パネル用品４に対して塗装を施す前に、このパネル用品４の塗装に用いる塗料１８が不足することを事前に防止し、パネル用品４に対して塗装を施す作業の効率が悪化することを確実に防止することができる。
【００３２】
次に、パネル用品４の塗装を着手するよう指示が発せられ、管理サーバ１１から塗装装置１３に向けて、管理サーバ１１内のＮＣデータ１５が送信される（ステップＳ５）。
【００３３】
次に、塗装装置１３において、送信されてきたＮＣデータ１５の塗装データ１７に含まれる塗装色データ１７ａに基づいて、パネル用品４の塗装に用いる所望の塗装色の塗料１８が選定される（ステップＳ６）。この間、塗装装置１３内の保持手段２３に、パネル用品４が保持される。
【００３４】
次に、塗装装置１３の塗布手段１９を用いて、塗装装置１３内に保持されたパネル用品４に対して、選定された所望の塗装色の塗料１８が噴出される。このことにより、パネル用品４に対して所望の塗装色の塗料１８を用いた塗装が開始される（ステップＳ７）。この場合、塗装装置１３から管理サーバ１１に向けて、パネル用品４の塗装を開始した情報が送信される。
【００３５】
この間、管理サーバ１１の塗装条件最適化手段２４により、塗装装置１３に対して、室温または湿度などの条件に基づき、パネル用品４に対して施す塗装条件を最適化する指示が行なわれる。このことにより、室温または湿度などの条件に対応して、パネル用品４に施される塗装の塗膜厚さを所望の厚さにすることができる。このため、パネル用品４に施される塗装の品質を確実に維持することができる。
【００３６】
塗装装置１３においてパネル用品４に対して塗装が施されている間、管理サーバ１１が、塗装装置１３において異常が発生したと判断した場合、管理サーバ１１の警告手段２２を用いて警告が発せられる。この場合まず、管理サーバ１１により、塗装装置１３から送信されるパネル用品４の塗装を完了した情報（後述）が、パネル用品４の塗装を開始した情報が送信されてから所定の時間を過ぎても送信されない場合、塗装装置１３に異常が発生したと判断される（ステップＳ８ａ）。その後、管理サーバ１１の警告手段２２を用いて警告が発せられる（ステップＳ８ｂ）。このことにより、塗装装置１３において生じたトラブルが放置されることなく、このトラブルに早急に対応して、パネル用品４に対して塗装を施す作業の効率が悪化することを確実に防止することができる。
【００３７】
その後、パネル用品４に対する塗装が完了すると、塗装装置１３から管理サーバ１１に向けて、パネル用品４の塗装が完了した情報が送信される（ステップＳ９）。このようにして、パネル用品４に対して塗装が施される。
【００３８】
なお、上述したように、塗装装置１３から管理サーバ１１に向けて、パネル用品４の塗装を開始した情報およびパネル用品４の塗装が完了した情報が送信されるため、パネル用品４に対して塗装を施すために費やされる正確な工数およびコストを把握することができる。
【００３９】
このように本実施の形態によれば、管理サーバ１１において、エレベータのパネル用品４の形状情報１４ａと塗装情報１４ｂとを含む設計情報１４に基づいて、パネル用品４を加工するための加工データ１６およびパネル用品４に対して塗装を施すための塗装データ１７を含むＮＣデータ１５が作成されて保管され、塗装装置１３において、管理サーバ１１からネットワーク１２を介して送信されるＮＣデータ１５の塗装データ１７に基づいて、パネル用品４に対して塗装が施される。この場合、パネル用品４に対して塗装が施される塗料１８の塗装色は、ＮＣデータ１５の塗装データ１７に含まれる塗装色データ１７ａに基づいて選定される。このことにより、パネル用品４の設計情報１４から自動的にパネル用品４に対して塗装を施すことができ、塗装作業者が塗装色の選定を誤ることを確実に防止することができる。このため、パネル用品４に対して塗装を施す作業の効率を確実に向上させることができる。
【００４０】
第２の実施の形態
次に、図４および図５により、本発明の第２の実施の形態におけるエレベータのパネル用品加工・塗装システムについて説明する。ここで図４は、本発明の第２の実施の形態におけるエレベータのパネル用品加工・塗装システムの全体構成を示す図であり、図５は、本発明の第２の実施の形態におけるエレベータのパネル用品加工・塗装システムにおいて、パネル用品を加工し、パネル用品に対して塗装を施す方法を示すフロー図である。
【００４１】
図４に示す第２の実施の形態において、エレベータのパネル用品加工・塗装システムにおいて、パネル用品部材を加工してパネル用品を形成する加工装置、およびパネル用品を塗装装置に搬送する搬送手段が設けられている点が異なるのみであり、他の構成は、図１乃至図３に示す第１の実施の形態と略同一である。なお、図４および図５において、図１乃至図３に示す第１の実施の形態と同一部分には同一符号を付して詳細な説明は省略する。
【００４２】
図４に示すように、エレベータのパネル用品加工・塗装システム３０において、管理サーバ１１にネットワーク１２を介して加工装置３１が接続され、この加工装置３１は、パネル用品４を保持する保持手段３３を有している。またこの加工装置３１は、管理サーバ１１から送信されるＮＣデータ１５の加工データ１６に基づいて、パネル用品用部材４ａを加工してパネル用品４を形成するようになっている。
【００４３】
また、加工装置３１と塗装装置１３との間に、パネル用品４を搬送する搬送手段３４が介在されている。この搬送手段３４は、管理サーバ１１にネットワーク１２を介して接続され、加工装置３１から加工が完了した情報が送信された場合、管理サーバ１１により駆動され、加工装置３１において形成されたパネル用品４を加工装置３１から塗装装置１３へ搬送するようになっている。
【００４４】
また、管理サーバ１１は、加工装置３１から加工が完了した情報が送信された場合、塗装装置１３に対して、パネル用品４を塗装する準備を行なうように指示するようになっている。
【００４５】
また、管理サーバ１１は、加工装置３１において異常が発生したと判断した場合、または塗装装置１３において異常が発生したと判断した場合、警告を発する警告手段３２を有している。
【００４６】
図４および図５に示すように、加工装置３１内の保持手段３３に、パネル用品用部材４ａが保持された後、パネル用品４の加工を着手するよう指示が発せられ、管理サーバ１１から加工装置３１に向けて、管理サーバ１１内のＮＣデータ１５が送信される（ステップＳ５）。
【００４７】
次に、加工装置３１において、送信されてきたＮＣデータ１５の加工データ１６に基づいて、パネル用品用部材４ａの加工が開始される（ステップＳ６）。この場合、加工装置３１から管理サーバ１１に向けて、パネル用品用部材４ａの加工を開始した情報が送信される。
【００４８】
パネル用品用部材４ａを加工している間、管理サーバ１１が、加工装置３１において異常が発生したと判断した場合、管理サーバ１１の警告手段３２を用いて警告が発せられる。この場合まず、管理サーバ１１により、加工装置３１から送信されるパネル用品用部材４ａの加工を完了した情報（後述）が、パネル用品用部材４ａの加工を開始した情報が送信されてから所定の時間を過ぎても送信されない場合、加工装置３１に異常が発生したと判断される（ステップＳ７ａ）。その後、管理サーバ１１の警告手段３２を用いて警告が発せられる（ステップＳ７ｂ）。このことにより、加工装置３１において生じたトラブルが放置されることなく、このトラブルに早急に対応して、パネル用品用部材４ａを加工する作業の効率が悪化することを確実に防止することができる。
【００４９】
その後パネル用品用部材４ａの加工が完了すると、加工装置３１から管理サーバ１１に向けて、パネル用品用部材４ａの加工が完了した情報が送信される（ステップＳ８）。このようにして、パネル用品用部材４ａを加工してパネル用品４が形成される。
【００５０】
なお、上述したように、加工装置３１から管理サーバ１１に向けて、パネル用品用部材４ａの加工を開始した情報およびパネル用品用部材４ａの加工が完了した情報が送信されるため、パネル用品用部材４ａを加工してパネル用品４を形成するために費やされる正確な工数およびコストを把握することができる。
【００５１】
次に、管理サーバ１１により、塗装装置１３に対して、パネル用品４を塗装する準備を行なうよう指示が発せられる。この場合、管理サーバ１１から塗装装置１３に向けて、管理サーバ１１内のＮＣデータ１５が送信される（ステップＳ９）。同時に、管理サーバ１１から搬送手段３４に対して駆動信号が発せられ、搬送装置３４により、加工装置３１において形成されたパネル用品４が塗装装置１３に搬送され、塗装装置１３内の保持手段２３にパネル用品４が保持される。
【００５２】
次に、塗装装置１３において、送信されてきたＮＣデータ１５の塗装データ１７に含まれる塗装色データ１７ａに基づいて、パネル用品４の塗装に用いる所望の塗装色の塗料１８が選定される（ステップＳ１０）。
【００５３】
次に、塗装装置１３の塗布手段１９を用いて、塗装装置１３内に保持されたパネル用品４に対して、選定された所望の塗装色の塗料１８が噴出される。このことにより、パネル用品４に対して所望の塗装色の塗料１８を用いた塗装が開始される（ステップＳ１１）。この場合、塗装装置１３から管理サーバ１１に向けて、パネル用品４の塗装を開始した情報が送信される。
【００５４】
塗装装置１３においてパネル用品４に対して塗装が施されている間、管理サーバ１１が、塗装装置１３において異常が発生したと判断した場合、管理サーバ１１の警告手段２２を用いて警告が発せられる。この場合まず、管理サーバ１１により、塗装装置１３から送信されるパネル用品４の塗装を完了した情報（後述）が、パネル用品４の塗装を開始した情報が送信されてから所定の時間を過ぎても送信されない場合、塗装装置１３に異常が発生したと判断される（ステップＳ１２ａ）。その後、管理サーバ１１の警告手段２２を用いて警告が発せられる（ステップＳ１２ｂ）。このことにより、塗装装置１３において生じたトラブルが放置されることなく、このトラブルに早急に対応して、パネル用品４に対して塗装を施す作業の効率が悪化することを確実に防止することができる。
【００５５】
その後、パネル用品４に対する塗装が完了すると、塗装装置１３から管理サーバ１１に向けて、パネル用品４の塗装が完了した情報が送信される（ステップＳ１３）。このようにして、パネル用品４に対して塗装が施される。
【００５６】
なお、上述したように、塗装装置１３から管理サーバ１１に向けて、パネル用品４の塗装を開始した情報およびパネル用品４の塗装が完了した情報が送信されるため、パネル用品４に対して塗装を施すために費やされる正確な工数およびコストを把握することができる。
【００５７】
このように本実施の形態によれば、管理サーバ１１からネットワーク１２を介して送信されるＮＣデータ１５の加工データ１６に基づいて、加工装置３１によりパネル用品用部材４ａが加工されてパネル用品４が得られる。このパネル用品用部材４ａの加工が完了してパネル用品４が形成された場合、管理サーバ１１により塗装装置１３に対して、パネル用品４を塗装する準備を行なうよう指示が発せられる。同時に、管理サーバ１１から搬送手段３４に駆動信号が発せられ、搬送手段３４を用いてパネル用品４が加工装置３１から塗装装置１３に搬送される。このことにより、パネル用品４が搬送手段３４により加工装置３１から塗装装置１３に搬送される時間を利用して、このパネル用品４に対して施される塗装の準備を行なうことができる。このため、パネル用品４に対して塗装を施す作業の効率を確実に向上させることができる。
【００５８】
なお、本実施の形態においては、加工装置３１が１台設けられている例を示したが、これに限らず、加工装置３１は複数台設けられていてもよい。すなわち、複数の加工装置３１においてパネル用品４が各々形成され、これらのパネル用品４の塗装色が同一である場合、管理サーバ１１は、塗装装置１３に対して、各加工装置３１から順次搬送されるパネル用品４を塗装装置１３において連続して塗装を施すよう指示する。この場合、他の塗装色を施すパネル用品４が途中に介在して塗装を施されることがなく、各加工装置３１のうち早く加工が完了したパネル用品４から順次塗装を施すことができる。このことにより、塗装装置１３において異なる塗装色の塗料１８に交換する手間を省くことができ、パネル用品４に対して塗装を施す作業の効率を向上させることができる。
【図面の簡単な説明】
【００５９】
【図１】図１は、本発明の第１の実施の形態におけるエレベータのかご室内の構成を示す図。
【図２】図２は、本発明の第１の実施の形態におけるエレベータのパネル用品塗装システムの全体構成を示す図。
【図３】図３は、本発明の第１の実施の形態におけるエレベータのパネル用品塗装システムにおいて、パネル用品に対して塗装を施す方法を示すフロー図。
【図４】図４は、本発明の第２の実施の形態におけるエレベータのパネル用品加工・塗装システムの全体構成を示す図。
【図５】図５は、本発明の第２の実施の形態におけるエレベータのパネル用品加工・塗装システムにおいて、パネル用品を加工し、パネル用品に対して塗装を施す方法を示すフロー図。
【符号の説明】
【００６０】
１      エレベータシステムのかご室
２      内壁パネル
３      かご室側ドアパネル
４      パネル用品
１０    エレベータのパネル用品塗装システム
１１    管理サーバ
１２    ネットワーク
１３    塗装装置
１４    設計情報
１４ａ  形状情報
１４ｂ  塗装情報
１５    ＮＣデータ
１６    加工データ
１７    塗装データ
１７ａ  塗装色データ
１７ｂ  面積データ
１８    塗料
１９    塗布手段
２０    塗料使用量演算手段
２１    塗料発注手段
２２    警告手段
２３    保持手段
２４    塗装条件最適化手段
３０    エレベータのパネル用品加工・塗装システム
３１    加工装置
３２    警告手段
３３    保持手段
３４    搬送手段
【図１】
2009154087.tif 000003
【図２】
2009154087.tif 000004
【図３】
2009154087.tif 000005
【図４】
2009154087.tif 000006
【図５】
2009154087.tif 000007